(57)【要約】  本発明は、パッケージの識別方法及び位置決定方法に関し、より詳しくは、メインＡＶに接続された従属パッケージ又はメインＡＶに接続されていない独立パッケージに対する識別方法及び位置決定方法に関する。本発明は、パッケージの識別方法であって、前記パッケージがメインＡＶ（Ａｕｄｉｏ／Ｖｉｄｅｏ）に接続されて従属的な場合、前記パッケージの識別子としてＣＲＩＤを用い、前記パッケージがメインＡＶに接続されずに独立的な場合でも、前記パッケージの識別子としてＣＲＩＤを用いる。本発明は、ＴＶＡ−１スキーマを用いて記述されたメインＡＶに接続された従属パッケージ又はメインＡＶに接続されていない独立パッケージのいずれの場合に対しても、改善されたパッケージの識別及び位置決定メカニズムを提示することにより、ＴＶＡ−２サービスシナリオを円滑に支援することができるという効果を提供する。
2008507887.tif 000002
【特許請求の範囲】
【請求項１】
パッケージの識別方法において、
前記パッケージがメインＡＶ（Ａｕｄｉｏ／Ｖｉｄｅｏ）に接続されて従属的な場合、前記パッケージの識別子としてＣＲＩＤを用い、
前記パッケージがメインＡＶに接続されずに独立的な場合でも、前記パッケージの識別子としてＣＲＩＤを用いることを特徴とするパッケージの識別方法。
【請求項２】
前記パッケージが前記メインＡＶに接続されて従属的な場合、前記パッケージが、ＴＶＡ−１の「ＰｒｏｇｒａｍＩｎｆｏｒｍａｔｉｏｎ」エレメントの下位エレメント「ＲｅｌａｔｅｄＭａｔｅｒｉａｌ」により前記メインＡＶに接続されることを特徴とする請求項１に記載のパッケージの識別方法。
【請求項３】
前記パッケージに関する詳細記述メタデータが、ＴＶＡ−２の「ＰａｃｋａｇｅＴａｂｌｅ」エレメントの下位エレメント「Ｃｏｎｔａｉｎｅｒ」により記述されることを特徴とする請求項２に記載のパッケージの識別方法。
【請求項４】
前記パッケージが前記メインＡＶに接続されずに独立的な場合、ＴＶＡ−２の「ＰａｃｋａｇｅＩｎｆｏｒｍａｔｉｏｎ」エレメントを用いてパッケージＩＤとパッケージタイトルとからなる魅力的な（ａｔｔｒａｃｔｉｖｅ）メタデータが提供されることを特徴とする請求項１に記載のパッケージの識別方法。
【請求項５】
前記パッケージに関する詳細記述メタデータが、ＴＶＡ−２の「ＰａｃｋａｇｅＴａｂｌｅ」エレメントの下位エレメント「Ｃｏｎｔａｉｎｅｒ」により記述されることを特徴とする請求項４に記載のパッケージの識別方法。
【請求項６】
前記パッケージが複数個の場合、パッケージのそれぞれが固有のＣＲＩＤにより識別されることを特徴とする請求項１に記載のパッケージの識別方法。
【請求項７】
ユーザ端末にパッケージを提供するパッケージ提供システムにおいて、
前記パッケージの識別子としてＣＲＩＤを用いてメタデータを生成するメタデータ生成部と、
該メタデータをエンコードするエンコード部と、
該エンコードされたメタデータを前記ユーザ端末に送信する送信部と、
を備えることを特徴とするパッケージ提供システム。
【請求項８】
ユーザ端末において、
パッケージの識別子としてＣＲＩＤを用いて生成されたメタデータを受信する受信部と、
該受信されたメタデータをデコードするデコード部と、
を備え、
前記デコードされたメタデータの前記パッケージ識別子を用いて所定のコンポーネントを取得した後に消費することを特徴とするユーザ端末。
【請求項９】
メインＡＶに接続されていない独立パッケージの位置決定方法において、
前記パッケージの識別子としてＣＲＩＤを用いたパッケージ情報メタデータを受け取るステップと、
該パッケージ情報メタデータによりユーザ端末に表示された使用可能なパッケージを検索するステップと、
該検索されたパッケージの中から所望のパッケージを選択するステップと、
該選択されたパッケージのＣＲＩＤを用いて選択されたパッケージに関するパッケージメタデータを取得するステップと、
を含むことを特徴とするパッケージの位置決定方法。
【請求項１０】
前記パッケージ情報メタデータが、片方向の放送チャンネル又は双方向ネットワークを介して前記ユーザ端末に伝達されることを特徴とする請求項９に記載のパッケージの位置決定方法。
【請求項１１】
前記使用可能なパッケージが、電子番組ガイドの形態で表示されることを特徴とする請求項９に記載のパッケージの位置決定方法。
【請求項１２】
前記パッケージメタデータが、前記パッケージのＣＲＩＤからロケータ（ｌｏｃａｔｏｒ）による位置解析によって取得されることを特徴とする請求項９に記載のパッケージの位置決定方法。
【請求項１３】
前記取得されたパッケージメタデータに基づいてユーザ環境の条件に適当なコンポーネントを取得して消費するステップをさらに含むことを特徴とする請求項９に記載のパッケージの位置決定方法。
【請求項１４】
メインＡＶに接続されて従属的な複数のパッケージに関するパッケージの位置決定方法において、
前記複数のパッケージに属するパッケージのうち一つのパッケージを選択するステップと、
ＣＲＩＤを用いた前記選択されたパッケージの識別子を用いて前記パッケージを取得するステップと、
を含み、
前記複数のパッケージのメタデータが、前記メインＡＶのメタデータと共に提供されないことを特徴とするパッケージの位置決定方法。
【請求項１５】
前記パッケージを取得するステップが、
ＣＲＩＤを用いた前記選択されたパッケージの識別子から位置解析によって前記選択されたパッケージの実際のロケータ（ｌｏｃａｔｏｒ）を把握するステップと、
該ロケータから前記パッケージのメタデータを取得するステップと、
を含むことを特徴とする請求項１４に記載のパッケージの位置決定方法。
【請求項１６】
前記取得されたパッケージからユーザ環境の条件に適当なコンポーネントを取得して消費するステップをさらに含むことを特徴とする請求項１４に記載のパッケージの位置決定方法。
【請求項１７】
前記取得されたパッケージに応じてローカルストレージ（ｌｏｃａｌ  ｓｔｏｒａｇｅ）に予め格納されていたコンポーネントを取得して消費するステップをさらに含むことを特徴とする請求項１４に記載のパッケージの位置決定方法。
【請求項１８】
前記ＣＲＩＤがパッケージを指すのか又はコンポーネントを指すのかを識別するフラグがＬＲＴ（ｌｏｃａｔｉｏｎ  ｒｅｓｏｌｕｔｉｏｎ  ｔａｂｌｅ）のメッセージフォーマットに追加されることを特徴とする請求項１４に記載のパッケージの位置決定方法。
【請求項１９】
前記パッケージが前記メインＡＶに接続されたか否かを識別するフラグがＬＲＴのメッセージフォーマットに追加されることを特徴とする請求項１４に記載のパッケージの位置決定方法。
【請求項２０】
メインＡＶに接続された従属的な複数のパッケージグループに対するパッケージの位置決定方法において、
前記複数のパッケージグループのうち一つのパッケージグループを選択するステップと、
ＣＲＩＤを用いた前記選択されたパッケージグループの識別子を用いてパッケージグループを取得するステップと、
該取得されたパッケージグループのうち一つのパッケージを選択して取得するステップと、
を含み、
前記複数のパッケージグループのメタデータが、前記メインＡＶのメタデータと共に提供されないことを特徴とするパッケージの位置決定方法。
【請求項２１】
前記パッケージグループを取得するステップが、
前記ＣＲＩＤを用いたパッケージグループの識別子から位置解析によって前記パッケージグループの実際のロケータ（ｌｏｃａｔｏｒ）を把握するステップと、
該ロケータから前記パッケージグループのメタデータを取得するステップと、
を含むことを特徴とする請求項２０に記載のパッケージの位置決定方法。
【発明の詳細な説明】
【技術分野】
【０００１】
本発明は、パッケージの識別方法及び位置決定方法に関し、より詳しくは、メインＡＶ（ａｕｄｉｏ／ｖｉｄｅｏ）に接続された従属パッケージ、又は、メインＡＶに接続されていない独立パッケージに対する識別方法及び位置決定方法に関する。
【背景技術】
【０００２】
放送のデジタル化に伴い、多媒体、多チャンネルのみならず、従来の片方向放送受信から放送通信網の連動による様々な受信端末の受容といった複雑な形態へと放送環境が急速に変化している。視聴者側からすると、制限されたチャンネルの選択のみにより放送番組を受信する受動的な視聴を抜け出し、放送サービスに直接参加したり所望の時間に所望の番組を受信及び視聴しようという要求が高まりつつある。
【０００３】
このような変化は、放送環境がより複雑多様に個人化した形態で進化しつつあると要約することができる。カスタマイズ放送は、このように複雑多様な新しい放送環境において視聴者がより便利かつ効率よく所望の放送コンテンツを所望の時間に様々な端末で視聴者の好みに合わせて所望の形態で消費できるようにする。即ち、カスタマイズ放送は、ユーザの好み、端末性能、ネットワーク特性、自然環境（時間、場所、ユーザの気分等）等を含む使用環境に適したカスタマイズ放送コンテンツを提供しようとするものである。
【０００４】
カスタマイズ放送に対する標準は、仮定するシステム環境及び提供しようとする主な機能的な側面からＰｈａｓｅ１（ＴＶＡ−１）とＰｈａｓｅ２（ＴＶＡ−２）との２段階に分かれる。ＴＶＡ−１は、主な放送番組が片方向の放送チャンネルに送信され、双方向ネットワークを介して追加的なメタデータを取得することのできる環境において、ＰＤＲ（Ｐｅｒｓｏｎａｌ  Ｄｉｇｉｔａｌ  Ｒｅｃｏｄｅｒ）を中心としてＡＶ（Ａｕｄｉｏ／Ｖｉｄｅｏ）コンテンツの探索、選択、取得、消費等のアプリケーションサービスを可能にするためのものである。ＴＶＡ−２は、片方向の放送チャンネル及び双方向ネットワークを仮定したＴＶＡ−１の消費環境を拡張して、ホームネットワーク環境において様々な端末同士のコンテンツの共有（ｓｈａｒｉｎｇ）、様々なユーザ環境に適当なコンテンツを提供するターゲッティング（ｔａｒｇｅｔｉｎｇ）等のサービスを提供し、かつ、コンテンツもＴＶＡ−１のＡＶのみならず、様々な形態のコンテンツを受容する。
【０００５】
パッケージは、コンテンツコンポーネントの集合として定義される。ここで、コンポーネントは、一定の組み合わせ（全体又はサブセット）により消費者の経験を提供し、ビジネスモデルの要求事項（ＲＱ００１ｖ２０）に応じて共に消費されるように意図される。従来は、このようなパッケージをＡＶコンテンツに従属したものとしてのみ認識していた。しかし、より幅広いカスタマイズ放送を提供するためには、パッケージをＡＶコンテンツと同等に取り扱う必要がある。即ち、パッケージは、メインＡＶに接続された従属パッケージのみならず、メインＡＶに接続されていない独立パッケージの場合にもインスタンス（ｉｎｓｔａｎｃｅ）化することができる。従って、このようなパッケージに対し、新しいパッケージの識別方法及び位置決定方法の実現が求められる。
【発明の開示】
【発明が解決しようとする課題】
【０００６】
そこで、本発明は、上記のような要求に応えるためになされたものであり、その目的は、ＣＲＩＤ（Ｃｏｎｔｅｎｔ  Ｒｅｆｅｒｅｎｃｅ  ＩＤｅｎｔｉｆｉｅｒ）を用いた改善された（Ｒｅｆｉｎｅｄ）パッケージの識別メカニズム及び位置決定方法を提供することにある。
【課題を解決するための手段】
【０００７】
第１の発明は、パッケージの識別方法であって、前記パッケージがメインＡＶ（Ａｕｄｉｏ／Ｖｉｄｅｏ）に接続されて従属的な場合、前記パッケージの識別子としてＣＲＩＤを用い、前記パッケージがメインＡＶに接続されずに独立的な場合でも、前記パッケージの識別子としてＣＲＩＤを用いる。
【０００８】
第２の発明は、メインＡＶに接続されていない独立パッケージの位置決定方法において、前記パッケージの識別子としてＣＲＩＤを用いたパッケージ情報メタデータを受け取るステップと、該パッケージ情報メタデータによりユーザ端末に表示された使用可能なパッケージを検索するステップと、該検索されたパッケージの中から所望のパッケージを選択するステップと、該選択されたパッケージのＣＲＩＤを用いて選択されたパッケージに関するパッケージメタデータを取得するステップとからなる。
【０００９】
第３の発明は、メインＡＶに接続されて従属的な複数のパッケージに対するパッケージの位置決定方法において、前記複数のパッケージに属するパッケージのうち一つのパッケージを選択するステップと、ＣＲＩＤを用いた前記選択されたパッケージの識別子を用いて前記パッケージを取得するステップとからなる。このとき、前記複数のパッケージのメタデータは、前記メインＡＶのメタデータと共に提供されない。
【００１０】
第４の発明は、メインＡＶに接続されて従属的な複数のパッケージグループに対するパッケージの位置決定方法であって、前記複数のパッケージグループのうち一つのパッケージグループを選択するステップと、ＣＲＩＤを用いた前記選択されたパッケージグループの識別子を用いてパッケージグループを取得するステップと、該取得されたパッケージグループのうち一つのパッケージを選択して取得するステップとからなる。このとき、前記複数のパッケージグループのメタデータは、前記メインＡＶのメタデータと共に提供されない。
【発明の効果】
【００１１】
本発明は、ＴＶＡ−１スキーマを用いて記述されたメインＡＶに接続された従属パッケージ又はメインＡＶに接続されていない独立パッケージのいずれの場合に対しても、改善されたパッケージの識別及び位置決定メカニズムを提示することにより、ＴＶＡ−２サービスシナリオを円滑に支援することができるという効果を提供する。
【発明を実施するための最良の形態】
【００１２】
本発明の目的、特徴及び長所は、添付された図面に関連する以下の詳細な説明を通じてより明確になるはずであり、それにより、本発明の属する技術分野における通常の知識を有する者が本発明の技術思想を容易に実施することができるであろう。
【００１３】
以下、添付された図面を参照して本発明に係る好ましい実施の一形態を詳細に説明する。
【００１４】
パッケージは、メインＡＶに接続された従属パッケージ、又は、メインＡＶに接続されていない独立パッケージに分類することができる。
【００１５】
メインＡＶに接続された従属パッケージは、メインＡＶの選択可能なリソースインスタンス（ｒｅｓｏｕｒｃｅ  ｉｎｓｔａｎｃｅ）（例えば、別の観点のマルチパラレルストリーム）又はメインＡＶに関連するウェブリンク、イメージ、ゲーム等のような補充資料（ｍａｔｅｒｉａｌ）を含み得る。パッケージがメインＡＶの消費において有用なシナリオを提供するとき、パッケージは、放送されるメインＡＶに接続された資料（ｍａｔｅｒｉａｌ）として考えられる。従って、パッケージは、メインＡＶの番組情報（Ｐｒｏｇｒａｍ  Ｉｎｆｏｒｍａｔｉｏｎ）に含まれた「ＲｅｌａｔｅｄＭａｔｅｒｉａｌＴｙｐｅ」エレメントによって参照することができる。しかし、「ＲｅｌａｔｅｄＭａｔｅｒｉａｌＴｙｐｅ」が用いるａｎｙＵＲＩは、同じメタデータ文書内で唯一であるが、文書が異なると、同じａｎｙＵＲＩが存在し得ることから、パッケージに対する絶対的な識別機能を提供することができない。
【００１６】
従って、本発明によると、パッケージアップデート及びＧＯＰ（Ｇｒｏｕｐ  ｏｆ  Ｐａｃｋａｇｅ）のための固有の識別子の必要性から、ＣＲＩＤをメインＡＶに接続された従属パッケージのための識別子として用いる。
【００１７】
表１は、教育用のコンポーネントが共に組み合わされたパッケージを参照するメインＡＶを示す。これは、パッケージがメインＡＶに従属して接続された例である。ＴＶＡ−１の「ＰｒｏｇｒａｍＩｎｆｏｒｍａｔｉｏｎ」エレメントを用いて記述されたメインＡＶは、下位エレメントの「ＲｅｌａｔｅｄＭａｔｅｒｉａｌ」を用いて補充資料として「ｃｒｉｄ：／／ｗｗｗ．ｉｍｂｃ．ｃｏｍ／ｅｄｕｃａｔｉｏｎａｌ＿ｐａｃｋａｇｅ１」識別子を有するパッケージが接続されていることを示す。「ｃｒｉｄ：／／ｗｗｗ．ｉｍｂｃ．ｃｏｍ／ｅｄｕｃａｔｉｏｎａｌ＿ｐａｃｋａｇｅ１」識別子を有するパッケージに関する詳細記述メタデータは、ＴＶＡ−２で定義する「ＰａｃｋａｇｅＴａｂｌｅ」エレメントの下位エレメント「Ｃｏｎｔａｉｎｅｒ」を用いて記述される。
【表１】
2008507887.tif 000003
2008507887.tif 000004
【００１８】
メインＡＶに接続して複数のパッケージが許容されるとき、これらパッケージのそれぞれが固有のＣＲＩＤによって独立して識別されれば、複数のパッケージの識別が可能となる。表２は、番組識別子が「ｃｒｉｄ：／／ｗｗｗ．ｉｍｂｃ．ｃｏｍ／ｎｅｗｎｏｎｓｔｏｐ１０３０４０７００７０４」でありながら、関連する二つのパッケージを有する番組を一例として示す。ＴＶＡ−１の「ＰｒｏｇｒａｍＩｎｆｏｒｍａｔｉｏｎ」エレメントを用いて記述されたメインＡＶは、下位エレメントの「ＲｅｌａｔｅｄＭａｔｅｒｉａｌ」を用いて補充資料として「ｃｒｉｄ：／／ｗｗｗ．ｉｍｂｃ．ｃｏｍ／ｅｄｕｃａｔｉｏｎａｌ＿ｐａｃｋａｇｅ１」識別子を有するパッケージと「ｃｒｉｄ：／／ｗｗｗ．ｉｍｂｃ．ｃｏｍ／ｅｄｕｃａｔｉｏｎａｌ＿ｐａｃｋａｇｅ２」識別子を有するパッケージとが接続されていることが分かる。
【表２】
2008507887.tif 000005
2008507887.tif 000006
【００１９】
一方、ゲーム「リネージュ」や都市旅行ガイドパッケージのようなメインＡＶに接続されていない独立パッケージも、パッケージアップデート及びＧＯＰのための固有の識別子の必要性から、ＣＲＩＤをパッケージ識別子として用いる。
【００２０】
表３は、教育用のコンポーネントを有する独立パッケージを示す。これは、パッケージがメインＡＶに独立して存在する例である。ＴＶＡ−２の「ＰａｃｋａｇｅＩｎｆｏｒｍａｔｉｏｎ」エレメントを用いてパッケージＩＤとパッケージタイトルとからなるパッケージに関する魅力的な（ａｔｔｒａｃｔｉｖｅ）メタデータがユーザに提供される。「ｃｒｉｄ：／／ｗｗｗ．ｉｍｂｃ．ｃｏｍ／ＦｒｅｎｃｈＬｅａｒｎｉｎｇ＿ｐａｃｋａｇｅ」識別子を有するパッケージに関する詳細記述メタデータは、ＴＶＡ−２で定義する「ＰａｃｋａｇｅＴａｂｌｅ」エレメントの下位エレメント「Ｃｏｎｔａｉｎｅｒ」を用いて記述される。
【表３】
2008507887.tif 000007
【００２１】
以下では、前述したパッケージの識別方法に基づいて位置決定メカニズムを通じてパッケージを消費する方法について説明する。
【００２２】
表４は、メインＡＶに接続される従属パッケージに対して多様な条件下で消費する方法をまとめたものであり、図１は、パッケージに対して多様な条件下で消費する過程を示すフローチャートである。
【００２３】
レベル１及びレベル２は、パッケージがメインＡＶに共通に接続されており、パッケージメタデータがメインＡＶのメタデータと共に提供される場合である。
【００２４】
レベル１の場合、表１のように、一つのパッケージがメインＡＶに接続されており、パッケージメタデータは、メインＡＶメタデータと共に提供される。メインＡＶに接続されたパッケージが検索された後（Ｓ１）、パッケージに属する複数のコンポーネントのうち使用環境に適当なコンポーネントがユーザによって選択される（Ｓ２）。その後、選択されたコンポーネントは、コンポーネントＣＲＩＤを用いたＴＶＡ−１から拡張された位置決定メカニズムにより取得され（Ｓ３、Ｓ４）、ユーザによって消費される（Ｓ５、Ｓ６）。選択から取得まで１回行われる。
【００２５】
ここで、ＴＶＡ−１から拡張された位置決定メカニズムは、ＴＶＡ−１の位置決定メカニズムを拡張させたものであって、ＴＶＡ−１の位置決定メカニズムがコンテンツに対して選択されたコンテンツのＣＲＩＤを用いた位置解析、取得の過程で行われるのに対し、ＴＶＡ−１から拡張された位置決定メカニズムは、ＴＶＡ−１位置決定メカニズムと同様に構成されるが、その対象がパッケージグループ、パッケージ、又はコンポーネントであるという点においては異なる。
【００２６】
レベル２の場合、複数のパッケージ又は一つのパッケージグループ（ＧＯＰ）がメインＡＶに接続されており、複数のパッケージ又は一つのパッケージグループに関するメタデータは、メインＡＶのメタデータと共に提供される。メインＡＶに接続された複数のパッケージ又は一つのパッケージグループが検索された後（Ｓ１）、そのうち一つのパッケージがユーザによって選択され、選択されたパッケージに属するコンポーネントのうち適切なコンポーネントがユーザの環境に応じて選択される（Ｓ２）。パッケージ及びコンポーネントは、同じ選択ステップで選択される。選択されたコンポーネントは、コンポーネントのＣＲＩＤを用いてＴＶＡ−１から拡張された位置決定メカニズムにより取得され（Ｓ３、Ｓ４）、ユーザによって消費される（Ｓ５、Ｓ６）。選択から取得まで１回行われる。
【００２７】
レベル３ないし５は、複数のパッケージ、一つ又は複数のパッケージグループ（ＧＯＰ）がメインＡＶに接続されており、パッケージメタデータがメインＡＶのメタデータと共に提供されない場合である。
【００２８】
レベル３の場合、複数のパッケージがメインＡＶに接続されており、パッケージメタデータは、メインＡＶメタデータと共に提供されない。メインＡＶに接続された複数のパッケージが検索された後（Ｓ１）、そのうち一つのパッケージがユーザによって選択された後、パッケージのＣＲＩＤを用いてＴＶＡ−１から拡張された位置決定メカニズムにより取得される（Ｓ２〜Ｓ４）。即ち、パッケージ識別子を用いたパッケージの取得は、選択されたパッケージの識別子から位置解析によってパッケージの実際のロケータ（ｌｏｃａｔｏｒ）を把握し、当該ロケータでパッケージメタデータを取得することにより行われる。パッケージでありながらコンポーネントの選択が必要なため（Ｓ５）、位置決定の過程を再び経て（Ｓ２〜Ｓ４）、ローカルストレージに予め格納されていたコンポーネントが消費される（Ｓ５、Ｓ６）。選択から取得まで２回行われる。
【００２９】
レベル４の場合、一つ又は複数のパッケージグループ（ＧＯＰ）がメインＡＶに接続されており、一つ又は複数のパッケージグループやパッケージに関するメタデータは、メインＡＶのメタデータと共に提供されない。メインＡＶに接続された一つ又は複数のパッケージグループが検索された後（Ｓ１）、そのうち一つのパッケージグループがユーザによって選択された後、ＴＶＡ−１から拡張された位置決定メカニズムにより取得される（Ｓ２〜Ｓ４）。パッケージの選択が必要なため（Ｓ５）、位置決定の過程を再び経て（Ｓ２〜Ｓ４）パッケージが取得され、コンポーネントの選択が必要なため（Ｓ５）、位置決定の過程を再び経て（Ｓ２〜Ｓ４）、ローカルストレージに予め格納されていたコンポーネントが消費される（Ｓ５、Ｓ６）。選択から取得まで３回行われる。
【００３０】
レベル５の場合、複数のパッケージ又は複数のパッケージグループがメインＡＶに接続されており、パッケージメタデータは、メインＡＶのメタデータと共に提供されない。一つのパッケージがレベル３又はレベル４の位置決定メカニズムにより取得された後、パッケージに属するコンポーネントのうちユーザ環境に適したコンポーネントがユーザによって選択される。選択されたコンポーネントは、ＴＶＡ−１から拡張された位置決定メカニズムにより取得され、ユーザによって消費される。パッケージの種類に応じて選択から取得まで２回又は３回行われる。
【００３１】
表４の取得ステップにおけるＣＲＩＤは、コンポーネントを指すか又はパッケージを指し得る。仮に、ＣＲＩＤがコンポーネントを指す場合は、パッケージがメインＡＶのメタデータと共に提供され、パッケージに属するコンポーネントのうち一部のコンポーネントのＣＲＩＤが取得の対象になるのである。
【００３２】
逆に、ＣＲＩＤがパッケージを指す場合は、パッケージがメインＡＶに接続されていながら、パッケージメタデータがメインＡＶのメタデータと共に提供されない場合又はパッケージがメインＡＶとは独立した場合であって、位置決定メカニズムの１回の実行によりＣＲＩＤからパッケージのみが取得されるか、繰り返し実行されることによりコンポーネントまでの取得が可能である。
【表４】
2008507887.tif 000008
【００３３】
上記の表３のように、メインＡＶに接続されていない独立パッケージを消費する全体の過程を図１を参照して説明すると、次の通りである（レベル６）。
【００３４】
まず、パッケージ情報メタデータ（Ｐａｃｋａｇｅ  Ｉｎｆｏｒｍａｔｉｏｎ  Ｍｅｔａｄａｔａ）は、片方向（ｕｎｉｄｉｒｅｃｔｉｏｎａｌ）の放送チャンネルを介するか、ＳＰ００６に基づいた双方向ネットワーク（ｂｉ−ｄｉｒｅｃｔｉｏｎａｌ  Ｎｅｔｗｏｒｋｓ）を介してユーザ端末に伝達される。パッケージ情報メタデータは、パッケージＩＤ、パッケージタイトル、パッケージシノプシス等のパッケージに関する魅力的な（ａｔｔｒａｃｔｉｖｅ）メタデータである。
【００３５】
パッケージ情報メタデータがユーザ端末に伝達されたとき、使用可能なパッケージの存在は、電子番組ガイドのようなユーザインターフェースを介してユーザに知らせられる。すると、ユーザは、消費を望むパッケージを検索及び選択する（Ｓ１、Ｓ２）。
【００３６】
続いて、ユーザは、パッケージのＣＲＩＤを用いたＴＶＡ−１から拡張された位置決定メカニズムにより選択したパッケージに関するパッケージメタデータを取得する（Ｓ３、Ｓ４）。取得されたパッケージメタデータに基づいて与えられたユーザ環境の条件を満たすコンポーネントがユーザによって手動又はエージェントによって自動的に選択され得る（Ｓ５、Ｓ２）。選択されたコンポーネントは、コンポーネントのＣＲＩＤを用いてＴＶＡ−１から拡張された位置決定メカニズムにより取得及び消費される（Ｓ３〜Ｓ６）。
【００３７】
前述したパッケージの識別及び位置決定メカニズムは、メインＡＶに独立又は従属したパッケージにＴＶＡ−２サービスシナリオを円滑に支援する。このようなシナリオには、例えば、独立パッケージを用いた「非線形のマルチパラレルストリームＡ／Ｖサービス（Ｎｏｎ−ｌｉｎｅａｒ  ｍｕｌｔｉ−ｐａｒａｌｌｅｌ  ｓｔｒｅａｍ  Ａ／Ｖ  ｓｅｒｖｉｃｅ、Ｓｅｒｖｉｃｅ  Ｓｃｅｎａｒｉｏ  ６．２．４．）」とメインＡＶに接続されたパッケージを用いた「ブロードキャスト映画トレーラ（Ｂｒｏａｄｃａｓｔ  ｍｏｖｉｅ  ｔｒａｉｌｅｒ）」等がある。
【００３８】
一方、ＴＶ−１から拡張された位置決定メカニズムでは、ＣＲＩＤがパッケージを指すのか又はコンポーネントを指すのかを識別する必要がある。このような目的から、表５のように、ＴＶＡ−１のＬＲＴ（ｌｏｃａｔｉｏｎ  ｒｅｓｏｌｕｔｉｏｎ  ｔａｂｌｅ）のメッセージフォーマットに「パッケージ／コンポーネント識別子（ｐａｃｋａｇｅ／ｃｏｍｐｏｎｅｎｔ  ｉｄｅｎｔｉｆｉｅｒ）」というフラグを追加する。
【００３９】
さらに、キーワードによる検索に基づいて見出したパッケージがメインＡＶに接続された場合、ユーザは、パッケージがメインＡＶに接続されたか否かを識別する方法が必要となる。このような目的から、表４のように、ＴＶＡ−１のＬＲＴ（ｌｏｃａｔｉｏｎ  ｒｅｓｏｌｕｔｉｏｎ  ｔａｂｌｅ）のメッセージフォーマットにパッケージのメインＡＶへの接続の可否を示す「メインＡＶに接続（Ｒｅｌａｔｅｄ  ｔｏ  ｍａｉｎ  ＡＶ）」というフラグを追加する。
【表５】
2008507887.tif 000009
【００４０】
一方、ボックスタイプ（ＭＨＰ、ＡＣＡＰ、ＡＲＩＢ、ｅｔｃ．）やミドルウェアによるパッケージのターゲッティングメカニズムに関連し、パッケージの取得前には、ボックスタイプ（ＭＨＰ、ＡＣＡＰ、ＡＲＩＢ、ｅｔｃ．）やミドルウェアによるパッケージのターゲッティングメカニズムは必要としない。しかし、パッケージの内部においてＵＥＤ（Ｕｓａｇｅ  Ｅｎｖｉｒｏｎｍｅｎｔ  Ｄｅｓｃｒｉｐｔｉｏｎ）記述子を拡張した、ボックスタイプやミドルウェアによるアイテム（ｉｔｅｍ）又はコンポーネントのターゲッティングメカニズムは必要である。これは、次のような二つの場合を検討した結果による。
【００４１】
第一に、仮にパッケージが放送チャンネルを介して伝達されると、データ放送標準（ＭＨＰ又はＡＣＡＰ）は地域に関して固定され、固定標準を除くその他の標準（ボックスタイプ）はその領域で用いられないことから、放送サービス提供者は、既に対象ボックスタイプ、ミドルウェア等を知っていることになる。
【００４２】
第二に、仮にパッケージがインターネットのような双方向ネットワークに伝達され、パッケージがデータ放送のためのアプリケーションプログラムを含むと、アプリケーションプログラムは、データ放送のミドルウェアで消費されなければならない。この場合、ボックスタイプに応じて適切な番組を選択するユーザ端末のために、パッケージは、ボックスタイプを識別する必要がある。これは、ＵＥＤにボックスタイプ記述子を挿入する必要があることを意味する。
【００４３】
上述したような本発明に係る方法は、プログラムとして実現されコンピュータで読み出し可能な形態で記録媒体に格納され得る。また、当業者なら前述したパッケージの識別方法及び位置決定方法を用いてパッケージを提供するシステム及びこのようなパッケージを消費するユーザ端末を実現することができる。
【００４４】
以上のように、本発明は、限定された実施の形態と図面によって説明されたが、本発明はこれに限定されず、本発明の属する技術分野における通常の知識を有する者によって本発明の技術思想と以下に記載される特許請求の範囲の均等な範囲内で様々な修正及び変形が可能であることは明らかである。
【図面の簡単な説明】
【００４５】
【図１】パッケージを様々な条件下で消費する過程を示すフローチャートである。
【図１】
2008507887.tif 000010
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
ユーザ端末にコンテンツコンポーネントの集合であるパッケージを提供するパッケージ提供方法において、
前記パッケージの識別子としてＣＲＩＤ（Ｃｏｎｔｅｎｔ  Ｒｅｆｅｒｅｎｃｅ  ＩＤｅｎｔｉｆｉｅｒ）を含み、前記パッケージの情報が前記パッケージのＩＤとタイトルとで記述されたパッケージ情報メタデータを生成するパッケージ情報メタデータ生成ステップと、
前記パッケージ情報メタデータを前記ユーザ端末に伝送する伝送ステップと、
を含むことを特徴とするパッケージ提供方法。
【請求項２】
前記パッケージ情報メタデータが、前記パッケージに関する詳細記述メタデータを更に含むことを特徴とする請求項１に記載のパッケージ提供方法。
【請求項３】
前記パッケージに関する詳細記述メタデータが、前記ＣＲＩＤを用いて取得されることを特徴とする請求項１に記載のパッケージ提供方法。
【請求項４】
ユーザ端末にコンテンツコンポーネントの集合であるパッケージを提供するパッケージ提供方法において、
メインＡＶ（ｍａｉｎ  Ａｕｄｉｏ／Ｖｉｄｅｏ）に従属的な前記パッケージの識別子としてＣＲＩＤと前記パッケージの情報とを含むメインＡＶプログラム情報メタデータを生成するメインＡＶプログラム情報メタデータ生成ステップと、
前記メインＡＶプログラム情報メタデータを前記ユーザ端末に伝送する伝送ステップと、
を含むことを特徴とするパッケージ提供方法。
【請求項５】
前記メインＡＶプログラム情報メタデータが、前記パッケージに関する詳細記述メタデータを更に含むことを特徴とする請求項４に記載のパッケージ提供方法。
【請求項６】
前記パッケージに関する詳細記述メタデータが、前記ＣＲＩＤを用いて取得されることを特徴とする請求項４に記載のパッケージ提供方法。
【請求項７】
ユーザ端末にコンテンツコンポーネントの集合であるパッケージを提供するパッケージ提供装置において、
前記パッケージの識別子としてＣＲＩＤを含み、前記パッケージの情報が前記パッケージのＩＤとタイトルとで記述されたパッケージ情報メタデータを生成するパッケージ情報メタデータ生成部と、
前記パッケージ情報メタデータを前記ユーザ端末に伝送する伝送部と、
を備えることを特徴とするパッケージ提供装置。
【請求項８】
前記パッケージ情報メタデータが、前記パッケージに関する詳細記述メタデータを更に含むことを特徴とする請求項７に記載のパッケージ提供装置。
【請求項９】
前記パッケージに関する詳細記述メタデータが、前記ＣＲＩＤを用いて取得されることを特徴とする請求項７に記載のパッケージ提供装置。
【請求項１０】
ユーザ端末にコンテンツコンポーネントの集合であるパッケージを提供するパッケージ提供装置において、
メインＡＶに従属的な前記パッケージの識別子としてＣＲＩＤと前記パッケージの情報とを含むメインＡＶプログラムメタデータを生成するメインＡＶプログラム情報メタデータ生成部と、
前記メインＡＶプログラム情報メタデータを前記ユーザ端末に伝送する伝送部と、
を備えることを特徴とするパッケージ提供装置。
【請求項１１】
前記メインＡＶプログラム情報メタデータが、前記パッケージに関する詳細記述メタデータを更に含むことを特徴とする請求項１０に記載のパッケージ提供装置。
【請求項１２】
前記パッケージに関する詳細記述メタデータが、前記ＣＲＩＤを用いて取得されることを特徴とする請求項１０に記載のパッケージ提供装置。
【請求項１３】
ユーザ端末でコンテンツコンポーネントの集合であるパッケージを識別するためのパッケージ情報メタデータにおいて、
前記パッケージの識別子として用いられるＣＲＩＤを含み、前記パッケージの情報が前記パッケージＩＤとタイトルとで記述されるメタデータを含むことを特徴とするパッケージ情報メタデータ。
【請求項１４】
前記パッケージ情報メタデータが、前記パッケージに関する詳細記述メタデータを更に含むことを特徴とする請求項１３に記載のパッケージ情報メタデータ。
【請求項１５】
前記パッケージに関する詳細記述メタデータが、前記ＣＲＩＤを用いて取得されることを特徴とする請求項１３に記載のパッケージ情報メタデータ。
【請求項１６】
ユーザ端末でコンテンツコンポーネントの集合であるパッケージを識別するためのメインＡＶプログラム情報メタデータにおいて、
メインＡＶに従属的な前記パッケージの識別子として用いられるＣＲＩＤと前記パッケージの情報とを含むことを特徴とするメインＡＶプログラム情報メタデータ。
【請求項１７】
前記メインＡＶプログラム情報メタデータが、前記パッケージに関する詳細記述メタデータを更に含むことを特徴とする請求項１６に記載のメインＡＶプログラム情報メタデータ。
【請求項１８】
前記パッケージに関する詳細記述メタデータが、前記ＣＲＩＤを用いて取得されることを特徴とする請求項１６に記載のメインＡＶプログラム情報メタデータ。
【請求項１９】
コンテンツコンポーネントの集合であるパッケージを消費するパッケージ消費方法において、
前記パッケージの識別子としてＣＲＩＤを含み、前記パッケージの情報が前記パッケージのＩＤとタイトルとで記述されるパッケージ情報メタデータを受信する受信ステップと、
前記パッケージ情報メタデータを検索し、前記パッケージを選択する選択ステップと、
前記選択されたパッケージの前記ＣＲＩＤを用いて、前記選択されたパッケージに関するパッケージメタデータを取得する取得ステップと、
を含むことを特徴とするパッケージ消費方法。
【請求項２０】
前記パッケージ情報メタデータが、片方向放送チャンネル又は双方向ネットワークを介して前記ユーザ端末に伝達されることを特徴とする請求項１９に記載のパッケージ消費方法。
【請求項２１】
前記選択ステップが、前記パッケージ情報メタデータからユーザ端末で使用可能なパッケージを検索し、
前記使用可能なパッケージが、電子プログラムガイドの形で表示されることを特徴とする請求項１９に記載のパッケージ消費方法。
【請求項２２】
前記取得ステップが、
前記選択されたパッケージのＣＲＩＤから位置解析によって前記選択されたパッケージのロケータ（ｌｏｃａｔｏｒ）を解析するステップと、
前記ロケータから前記パッケージメタデータを取得するステップと、
を含むことを特徴とする請求項１９に記載のパッケージ消費方法。
【請求項２３】
前記取得したパッケージメタデータに基づいて、ユーザ環境の条件を満たすコンポーネントを取得して消費する消費ステップを更に含むことを特徴とする請求項１９に記載のパッケージの消費方法。
【請求項２４】
コンテンツコンポーネントの集合であるパッケージを消費するパッケージ消費方法において、
メインＡＶに従属的な前記パッケージの識別子としてＣＲＩＤと前記パッケージの情報とを含むメインＡＶプログラム情報メタデータを受信する受信ステップと、
前記メインＡＶプログラム情報メタデータを検索し、前記パッケージを選択する選択ステップと、
前記選択されたパッケージの前記ＣＲＩＤを用いて前記選択されたパッケージに関するパッケージメタデータを取得する取得ステップと、
を含むことを特徴とするパッケージ消費方法。
【請求項２５】
前記取得ステップが、
前記選択されたパッケージのＣＲＩＤから位置解析によって前記選択されたパッケージのロケータを解析するステップと、
前記ロケータから前記パッケージメタデータを取得するステップと、
を含むことを特徴とする請求項２４に記載のパッケージ消費方法。
【請求項２６】
前記取得したパッケージメタデータに基づいて、ユーザ環境の条件を満たすコンポーネントを取得して消費する消費ステップを更に含むことを特徴とする請求項２４に記載のパッケージ消費方法。
【請求項２７】
前記取得したパッケージメタデータに基づいてローカルストレージ（ｌｏｃａｌ  ｓｔｏｒａｇｅ）に予め格納されたコンポーネントを取得して消費する消費ステップを更に含むことを特徴とする請求項２４に記載のパッケージ消費方法。
【請求項２８】
前記ＣＲＩＤがパッケージを指すのか又はコンポーネントを指すのかを識別するフラグが、ＬＲＴ（Ｌｏｃａｔｉｏｎ  Ｒｅｓｏｌｕｔｉｏｎ  Ｔａｂｌｅ）のメッセージフォーマットに追加されることを特徴とする請求項２４に記載のパッケージ消費方法。
【請求項２９】
前記パッケージが前記メインＡＶに接続されたか否かを識別するフラグが、ＬＲＴのメッセージフォーマットに追加されることを特徴とする請求項２４に記載のパッケージ消費方法。
【請求項３０】
前記パッケージが、パッケージグループ、複数のパッケージ又は複数のパッケージグループを備えることを特徴とする請求項２４に記載のパッケージ消費方法。
【請求項３１】
前記選択ステップ及び前記取得ステップを繰り返す繰り返しステップを更に含むことを特徴とする請求項３０に記載のパッケージ消費方法。
【請求項３２】
コンテンツコンポーネントの集合であるパッケージを消費するユーザ端末装置において、
前記パッケージの識別子としてＣＲＩＤを含み、前記パッケージの情報が前記パッケージのＩＤとタイトルとで記述されたパッケージ情報メタデータを受信する受信部と、
前記パッケージ情報メタデータからユーザ端末で使用可能なパッケージを検索して選択する選択部と、
前記選択されたパッケージの前記ＣＲＩＤを用いて、前記選択されたパッケージに関するパッケージメタデータを取得する取得部と、
を備えることを特徴とするユーザ端末装置。
【請求項３３】
前記取得部が、前記選択されたパッケージのＣＲＩＤから位置解析によって前記選択されたパッケージのロケータを解析し、前記ロケータから前記パッケージメタデータを取得することを特徴とする請求項３２に記載のユーザ端末装置。
【請求項３４】
前記取得したパッケージメタデータに基づいて、ユーザ環境の条件を満たすコンポーネントを取得して消費することを特徴とする請求項３２に記載のユーザ端末装置。
【請求項３５】
コンテンツコンポーネントの集合であるパッケージを消費するユーザ端末装置において、
メインＡＶに従属的な前記パッケージの識別子としてＣＲＩＤと前記パッケージの情報とを含むメインＡＶプログラム情報メタデータを受信する受信部と、
前記メインＡＶプログラム情報メタデータからユーザ端末で使用可能なパッケージを検索して選択する選択部と、
前記選択されたパッケージの前記ＣＲＩＤを用いて前記選択されたパッケージに関するパッケージメタデータを取得する取得部と、
を備えることを特徴とするユーザ端末装置。
【請求項３６】
前記取得部が、前記選択されたパッケージのＣＲＩＤから位置解析によって前記選択されたパッケージのロケータを解析し、前記ロケータから前記パッケージメタデータを取得することを特徴とする請求項３５に記載のユーザ端末装置。
【請求項３７】
前記取得したパッケージメタデータに基づいて、ユーザ環境の条件を満たすコンポーネントを取得して消費することを特徴とする請求項３５に記載のユーザ端末装置。
【手続補正２】
【補正対象書類名】明細書
【補正対象項目名】０００７
【補正方法】変更
【補正の内容】
【０００７】
上記目的を達成するための本発明のパッケージ提供方法は、前記パッケージの識別子としてＣＲＩＤ（Ｃｏｎｔｅｎｔ  Ｒｅｆｅｒｅｎｃｅ  ＩＤｅｎｔｉｆｉｅｒ）を含み、前記パッケージの情報が前記パッケージのＩＤとタイトルとで記述されたパッケージ情報メタデータを生成するパッケージ情報メタデータ生成ステップと、前記パッケージ情報メタデータを前記ユーザ端末に伝送する伝送ステップと、を含む。
また、上記目的を達成するための本発明のパッケージ提供方法は、メインＡＶ（ｍａｉｎ  Ａｕｄｉｏ／Ｖｉｄｅｏ）に従属的な前記パッケージの識別子としてＣＲＩＤと前記パッケージの情報とを含むメインＡＶプログラム情報メタデータを生成するメインＡＶプログラム情報メタデータ生成ステップと、前記メインＡＶプログラム情報メタデータを前記ユーザ端末に伝送する伝送ステップと、を含む。
【手続補正３】
【補正対象書類名】明細書
【補正対象項目名】０００８
【補正方法】変更
【補正の内容】
【０００８】
また、上記目的を達成するための本発明のパッケージ提供装置は、前記パッケージの識別子としてＣＲＩＤを含み、前記パッケージの情報が前記パッケージのＩＤとタイトルとで記述されたパッケージ情報メタデータを生成するパッケージ情報メタデータ生成部と、前記パッケージ情報メタデータを前記ユーザ端末に伝送する伝送部と、を備える。
また、上記目的を達成するための本発明のパッケージ提供装置は、メインＡＶに従属的な前記パッケージの識別子としてＣＲＩＤと前記パッケージの情報とを含むメインＡＶプログラムメタデータを生成するメインＡＶプログラム情報メタデータ生成部と、前記メインＡＶプログラム情報メタデータを前記ユーザ端末に伝送する伝送部と、を備える。
また、上記目的を達成するための本発明のパッケージ情報メタデータは、前記パッケージの識別子として用いられるＣＲＩＤを含み、前記パッケージの情報が前記パッケージＩＤとタイトルとで記述されるメタデータを含む。
また、上記目的を達成するための本発明のメインＡＶプログラム情報メタデータは、メインＡＶに従属的な前記パッケージの識別子として用いられるＣＲＩＤと前記パッケージの情報とを含む。
【手続補正４】
【補正対象書類名】明細書
【補正対象項目名】０００９
【補正方法】変更
【補正の内容】
【０００９】
また、上記目的を達成するための本発明のパッケージ消費方法は、前記パッケージの識別子としてＣＲＩＤを含み、前記パッケージの情報が前記パッケージのＩＤとタイトルとで記述されるパッケージ情報メタデータを受信する受信ステップと、前記パッケージ情報メタデータを検索し、前記パッケージを選択する選択ステップと、前記選択されたパッケージの前記ＣＲＩＤを用いて、前記選択されたパッケージに関するパッケージメタデータを取得する取得ステップと、を含む。
また、上記目的を達成するための本発明のパッケージ消費方法は、メインＡＶに従属的な前記パッケージの識別子としてＣＲＩＤと前記パッケージの情報とを含むメインＡＶプログラム情報メタデータを受信する受信ステップと、前記メインＡＶプログラム情報メタデータを検索し、前記パッケージを選択する選択ステップと、前記選択されたパッケージの前記ＣＲＩＤを用いて前記選択されたパッケージに関するパッケージメタデータを取得する取得ステップと、を含む。
【手続補正５】
【補正対象書類名】明細書
【補正対象項目名】００１０
【補正方法】変更
【補正の内容】
【００１０】
また、上記目的を達成するための本発明のユーザ端末装置は、前記パッケージの識別子としてＣＲＩＤを含み、前記パッケージの情報が前記パッケージのＩＤとタイトルとで記述されたパッケージ情報メタデータを受信する受信部と、前記パッケージ情報メタデータからユーザ端末で使用可能なパッケージを検索して選択する選択部と、前記選択されたパッケージの前記ＣＲＩＤを用いて、前記選択されたパッケージに関するパッケージメタデータを取得する取得部と、を備える。
また、上記目的を達成するための本発明のユーザ端末装置は、メインＡＶに従属的な前記パッケージの識別子としてＣＲＩＤと前記パッケージの情報とを含むメインＡＶプログラム情報メタデータを受信する受信部と、前記メインＡＶプログラム情報メタデータからユーザ端末で使用可能なパッケージを検索して選択する選択部と、前記選択されたパッケージの前記ＣＲＩＤを用いて前記選択されたパッケージに関するパッケージメタデータを取得する取得部と、を備える。
【国際調査報告】
2008507887.tif 000011
2008507887.tif 000012